(57)【要約】【課題】皺が寄りにくく、だぶつきもなく、破損のおそれを解消し、且履き心地も良好で、商品寿命も延長して経済的効果をも発揮できる踵保護靴下を提供する。【解決手段】靴下ａの踵を隠蔽する踵隠蔽部１の内側２の上方部位に、接着フィルムｆを付着し、且前記接着フィルムｆの上方に保温保湿用上方フィルムｄを付着し、前記上方フィルムｆの周縁部６ｂと接着フィルムｆの接着部１６を靴下ａに接着して残り全体を遊離状態に接着せしめると共に、前記踵隠蔽部１の内側２の下方部位に、別設の接着フィルムｆを付着し、且前記接着フィルムｆの上方に保温保湿用下方フィルムｅを付着し、前記下方フィルムｅの周縁部６ｃと、接着フィルムｆの接着部１６を靴下ａに接着して残り全体を遊離状態に接着せしめた。【選択図】     図１
2011084829.tif 000002
【特許請求の範囲】
【請求項１】
靴下の踵を隠蔽する踵隠蔽部の内側の上方部位に、接着フィルムを付着し、且前記接着フィルムの上方に保温保湿用上方フィルムを付着し、前記上方フィルムの周縁部と接着フィルムの接着部を靴下に接着して残り全体を遊離状態に接着せしめると共に、前記踵隠蔽部の内側の下方部位に、別設の接着フィルムを付着し、且前記接着フィルムの上方に保温保湿用下方フィルムを付着し、前記下方フィルムの周縁部と、接着フィルムの接着部を靴下に接着して残り全体を遊離状態に接着せしめることを特徴とする踵保護靴下。
【請求項２】
２重編み靴下を構成する内側靴下部と外側靴下部のいずれか一方の靴下部の踵を隠蔽する踵隠蔽部の内側もしくは外側の上方部位に、接着フィルムを付着し、且前記接着フィルムの上方に保温保湿用上方フィルムを付着し、前記上方フィルムの周縁部と、接着フィルムの接着部を靴下に接着して残り全体を遊離状態に接着せしめると共に、前記踵隠蔽部の内側の下方部位に、別設の接着フィルムを付着し、且前記接着フィルムの上方に保温保湿用下方フィルムを付着し、前記下方フィルムの周縁部と前記接着フィルムの接着部を靴下に接着して残り全体を遊離状態に接着せしめることを特徴とする踵保護靴下。
【請求項３】
靴下の踵を隠蔽する踵隠蔽部の内側の上方部位に、接着フィルムを付着し、且前記接着フィルムの上方に前記接着フィルムよりも小形状にして、且前記接着フィルムの接着部の中間部位に外周部が位置する状態に重合可能な保温保湿用上方フィルムを付着し、さらに前記保温保湿用上方フィルムの上方に前記接着フィルムと同形状の保温保湿用上方フィルムを付着し、前記上下方フィルムの周縁部と、接着フィルムの接着部を靴下に接着して残り全体を遊離状態に接着せしめると共に、前記踵隠蔽部の内側の下方部位に、別設の接着フィルムを付着し、且前記接着フィルムの上方に且前記接着フィルムよりも小形状にして、且前記接着フィルムの接着部の中間部位に外周部が位置する状態に重合可能な保温保湿用下方フィルムを付着し、さらに前記保温保湿用上方フィルムの上方に前記接着フィルムと大きさが同形状の保温保湿用上方フィルムを付着し、前記下方フィルムの周縁部と、接着フィルムの接着部を靴下に接着して残り全体を遊離状態に接着せしめることを特徴とする踵保護靴下。
【請求項４】
２重編み靴下を構成する内側靴下部と外側靴下部のいずれか一方の靴下部の踵を隠蔽する踵隠蔽部の内側もしくは外側の上方部位に、接着フィルムを付着し、且前記接着フィルムの上方に前記接着フィルムよりも小形状にして、前記接着フィルムの接着部の中間部位に外周部が位置する状態に重合可能な保温保湿用上方フィルムを付着し、さらに前記保温保湿用上方フィルムの上方に前記接着フィルムと同形状の保温保湿用上方フィルムを付着し、前記上下方フィルムの周縁部と、接着フィルムの接着部を靴下に接着して残り全体を遊離状態に接着せしめると共に、前記踵隠蔽部の内側の下方部位に、別設の接着フィルムを付着し、且前記接着フィルムの上方に前記接着フィルムよりも小形状にして、且前記接着フィルムの接着部の中間部位に外周部が位置する状態に重合可能な保温保湿用下方フィルムを付着し、さらに前記保温保湿用上方フィルムの上方に前記接着フィルムと大きさが同形状の保温保湿用上方フィルムを付着し、前記上下方フィルムの周縁部と前記接着フィルムの接着部を靴下に接着して残り全体を遊離状態に接着せしめることを特徴とする踵保護靴下。
【請求項５】
靴下の踵を隠蔽する踵隠蔽部の内側の上方部位に、接着フィルムを付着し、且前記接着フィルムの上方に保温保湿用上方フィルムを付着し、且前記接着フィルムの上方に肌触り強度を良くする為に前記保温保湿用上方フィルムと同形状の上方ポリエステル又はナイロンストレッチ織布を付着し、前記上方織布の周縁部と前記上方フィルムの周縁部と前記接着フィルムの接着部を靴下に接着して残り全体を遊離状態に接着せしめると共に、靴下の踵を隠蔽する踵隠蔽部の内側の下方部位に、接着フィルムを付着し、且前記接着フィルムの上方に保温保湿用下方フィルムを付着し、且前記接着フィルムの上方に肌触り強度を良くする為に前記保温保湿用上方フィルムと同形状の下方ポリエステル又はナイロンストレッチ織布を付着し、前記下方織布の周縁部と前記下方フィルムの周縁部と下方織布の周縁部を靴下に接着して残り全体を遊離状態に接着せしめることを特徴とする踵保護靴下。
【請求項６】
前記請求項５に記載の接着フィルムと、保温保湿用上方フィルムと上方及び下方ポリエステル又はナイロンストレッチ織布が、二重編み靴下を構成する内側靴下を構成する内側靴下部と外側靴下部のいずれか一方の靴下部の踵を隠蔽する踵隠蔽部の内側もしくは外側の上方部位と下方部位に付着せしめることを特徴とする踵保護靴下。
【請求項７】
靴下の踵を隠蔽する踵隠蔽部の内側の上方部位に、ポリエステル又はナイロン織布の片面にポリウレタンフィルムをラミネート加工の上に接着用としてホットメルト加工を施した上方保温保湿接着用シートを付着し、且前記上方保温保湿接着用シートを靴下の内側に全面接着すると共に、前記踵隠蔽部の内側の下方部位に、ポリエステル又はナイロン織布の片面にポリウレタンフィルムをラミネート加工を施し、前記ラミネート加工の上に接着用としてホットメルト加工を施した下方保温保湿接着用シートを付着し、且前記下方保温保湿接着用シートを靴下の内側に全面接着することを特徴とする踵保護靴下。
【請求項８】
前記請求項７に記載の上下保温保湿接着用シートが、二重編み靴下を構成する内側靴下を構成する内側靴下部と外側靴下部のいずれか一方の靴下部の踵を隠蔽する踵隠蔽部の内側もしくは外側の上方部位と下方部位に付着せしめることを特徴とする踵保護靴下。
【請求項９】
請求項１又は同２又は同３又は同４に記載の前記２枚の保温保湿用上下方フィルムと前記２枚の接着フィルムは、対称的に形成されていることを特徴とする踵保護靴下。
【請求項１０】
請求項５又は同６に記載の前記２枚の保温保湿用上下方フィルムと２枚の織布は、対称的に形成されていることを特徴とする踵保護靴下。
【請求項１１】
請求項７又は同８に記載の前記２枚の保温保湿接着用シートは、対称的に形成されていることを特徴とする踵保護靴下。
【請求項１２】
請求項１又は同２又は同３又は同４又は同５又は同６又は同７又は同８又は同９又は同１０又は同１１に記載の保温保湿用上方フィルムと保温保湿用下方フィルムと上下方織布と上方保温保湿接着用シートと下方保温保湿接着用シートを踵隠蔽部の上方部位と下方部位に接着せしめることを特徴とする踵保護靴下。
【発明の詳細な説明】
【技術分野】
【０００１】
本発明は、踵保護靴下の分野に関するものである。
【背景技術】
【０００２】
従来、踵保護靴下として、特公平７−４９６０１特許公報が開示されている。
【０００３】
この開示の踵保護靴下は、靴下において、一番痛み易い踵部分が丈夫で且踵のひび割れ、かさかさ荒れなどをも防止する踵保護靴下に係るものである。
【０００４】
そして、この開示の踵保護靴下は、靴下の踵付近もしくは足底部を隠蔽する部分の内側に、一枚の広くて薄いフィルムを周縁部のみを靴下に被着して残り全体を遊離状態に介在せしめるものであった。
【０００５】
さらに、第２に、従来踵保護靴下として、特許第２６１７８１９号特許公報が開示されている。
【０００６】
この特許公報に開示の踵保護靴下は、前記特公平７−４９６０１特許公報と同じ特許出願人であって、従来の踵保護靴下よりも、より秀れた踵部分の保護と、肌に優しく踵のひび割れやかさかさ荒れなどを防止する経済性のある靴下を提供するものである。
【０００７】
そのため、靴下の踵部分が当る一番痛み易い部分に、当布の一面に一枚の薄い合成樹脂フィルムを被着して通気性を遮断し、靴下の踵隠蔽部の内側に接着し、当布の内側を靴下地と遊離したものである。
【先行技術文献】
【特許文献】
【０００８】
【特許文献１】特公平７−４９６０１特許公報
【特許文献２】特許第２６１７８１９号特許公報
【発明の概要】
【発明が解決しようとする課題】
【０００９】
従来開示の特公平７−４９６０１特許公報の踵保護靴下は、前記したとおり、靴下の中で一番痛み易い踵部分のひび割れ、かさかさ荒れなどを防止するのに、一枚の広くて薄いフィルムをフィルムの周縁部のみを靴下に被着して残り全体を遊離状態に介在せしめるものであった。
【００１０】
そのため、靴下の内側に被着する薄いフィルムでは、フィルムの周縁部のみが靴下に被着して残り全部が遊離状態になって空気が貯り、一枚の薄いフィルムと靴下の内側が、ぴったりフィットせず、ましてや、頻繁に行われる洗濯と該靴下を履き続けている中に、前記薄いフィルムに皺が寄ったり、だぶついたりする恐れがあった。
【００１１】
さらに、前記のように靴下の内側に被着した薄いフィルムに、皺が寄り、だぶつくと、履いている中に破れたりして商品寿命が短命となるおそれがあった。
【００１２】
また、前記のように靴下の内側に被着した薄いフィルムに皺が寄り、だぶつくと、履き心地も良くないし、違和感があった。
【００１３】
さらに、従来開示の特許公報の踵保護靴下も、前記した特公平７−４９６０１特許公報の踵保護靴下と同じく、一枚の広くて薄いフィルムをフィルムの周縁部のみを靴下に被着して残り全体を遊離状態に介在せしめるものであった。
【００１４】
そのため、前記開示の踵保護靴下と同じように履き心地も良くなく、且履いていても違和感があった。さらに商品寿命も短く経済性がそこなわれていた。
【００１５】
また、従来開示の特許公報の踵保護靴下において使用されている一枚の薄いフィルムに皺が寄ったり、だぶつきが発生する原因は、薄いフィルムと靴下生地の伸縮率の差異によるものである。すなわち、一般的に靴下踵の形状は、身体の踵部位にそうよう、図２４に図示されているように立体形状に編成されている。従って踵隠蔽部１の内側２に接着フィルムを付着し、前記フィルムの上方に一枚の保温保湿用フィルムをのせ、前記保温保湿用フィルムの周縁部と前記接着フィルムとの接着による皺やだぶつきは、靴下生地の伸びや立体形状による余裕に対して、保温保湿用フィルムの伸びの方が左程なく、小さくこれが原因で皺やだぶつきのために踵にフィットしなくなり履き心地が悪かった。
【００１６】
しかるに、本発明は、従来のような一枚の薄いシートを使用せずに、靴下の編上げ時に発生するゴアラインの上方部と下方部の踵隠蔽部の内側に、２枚に区分けされた前記ゴアラインに沿って所定の形状に裁断された一方の薄い上方フィルムと、前記上方フィルムと同形状の他方の薄い下方フィルムを、前記両フィルムの周縁部のみを所定の高温度のヒートセットにより接着し、残り全体を遊離状態に接着せしめることによって、皺が寄りにくく、だぶつきもなく、破損のおそれを解消し、且履き心地も良好で、商品寿命も延長して経済的効果をも発揮できるようにした。
【００１７】
さらに、本発明は、前記のように２枚に区分けした対称的な薄い上下方フィルムを靴下隠蔽部の内側にヒートセットにて接着することによって、１枚の広くてぐにゃぐにゃしている薄いフィルムを踵隠蔽部の内側の靴下生地に被着させる作業よりも、コンパクト化によるぐにゃぐにゃ感が解消され、その接着作業が良好で、前記２枚のフィルムが身体の踵部位に確実に密着されるようになった。
【００１８】
また、本発明は、２枚に区分けした薄い上下方フィルムを靴下に接着することによって、前記フィルムへの皺の寄りをしにくくした。
【００１９】
さらに本発明は、薄い上下方フィルムを従来の１枚の広くて薄いフィルムよりも、形状をコンパクトに形成することによって、靴下へ接着しても皺が寄ったり、だぶついたりしていたものが、踵隠蔽部にぴったりと接着してより一層水分が逃げにくく保温保湿力を十分に確保できるように改良した。
【課題を解決するための手段】
【００２０】
上記課題を解決するための手段として、請求項１に記載の発明は、靴下ａの踵を隠蔽する踵隠蔽部１の内側２の上方部位に、接着フィルムｆを付着し、且前記接着フィルムｆの上方に保温保湿用上方フィルムｄを付着し、前記上方フィルムｆの周縁部６ｂと接着フィルムｆの接着部１６を靴下ａに接着して残り全体を遊離状態に接着せしめると共に、前記踵隠蔽部１の内側２の下方部位に、別設の接着フィルムｆを付着し、且前記接着フィルムｆの上方に保温保湿用下方フィルムｅを付着し、前記下方フィルムｅの周縁部６ｃと、接着フィルムｆの接着部１６を靴下ａに接着して残り全体を遊離状態に接着せしめることを特徴とする踵保護靴下である。
【００２１】
上記課題を解決するための手段として、請求項２に記載の発明は、２重編み靴下ａを構成する内側靴下部３と外側靴下部４のいずれか一方の靴下部の踵を隠蔽する踵隠蔽部１の内側２もしくは外側２ｂの上方部位に、接着フィルムｆを付着し、且前記接着フィルムｆの上方に保温保湿用上方フィルムｄを付着し、前記上方フィルムｄの周縁部６ｂと、接着フィルムｆの接着部１６を靴下ａに接着して残り全体を遊離状態に接着せしめると共に、前記踵隠蔽部１の内側２の下方部位に、別設の接着フィルムｆを付着し、且前記接着フィルムｆの上方に保温保湿用下方フィルムｅを付着し、前記下方フィルムｅの周縁部６ｃと前記接着フィルム５の接着部１６を靴下ａに接着して残り全体を遊離状態に接着せしめることを特徴とする踵保護靴下である。
【００２２】
上記課題を解決するための手段として、請求項３に記載の発明は、靴下ａの踵を隠蔽する踵隠蔽部１の内側２の上方部位に、接着フィルムｆを付着し、且前記接着フィルムｆの上方に前記接着フィルム５よりも小形状にして、且前記接着フィルムｆの接着部１６の中間部位に外周部１０ａが位置する状態に重合可能な保温保湿用上方フィルムｂを付着し、さらに前記保温保湿用上方フィルムｂの上方に前記接着フィルムｆと同形状の保温保湿用上方フィルムｄを付着し、前記上下方フィルムｂ、ｄの周縁部６、６ｂと、接着フィルムｆの接着部１６を靴下ａに接着して残り全体を遊離状態に接着せしめると共に、前記踵隠蔽部１の内側２の下方部位に、別設の接着フィルムｆを付着し、且前記接着フィルムｆの上方に且前記接着フィルムｆよりも小形状にして、且前記接着フィルムｆの接着部１６の中間部位に外周部１０ａが位置する状態に重合可能な保温保湿用下方フィルムｃを付着し、さらに前記保温保湿用上方フィルムｃの上方に前記接着フィルムｆと大きさが同形状の保温保湿用上方フィルムｅを付着し、前記下方フィルムｃ、ｅの周縁部６、６ａと、接着フィルムｆの接着部１６を靴下ａに接着して残り全体を遊離状態に接着せしめることを特徴とする踵保護靴下である。
【００２３】
上記課題を解決するための手段として、請求項４に記載の発明は、２重編み靴下ａを構成する内側靴下部３と外側靴下部４のいずれか一方の靴下部の踵を隠蔽する踵隠蔽部１の内側２もしくは外側２ｂの上方部位に、接着フィルムｆを付着し、且前記接着フィルムｆの上方に前記接着フィルムｆよりも小形状にして、前記接着フィルムｆの接着部１６の中間部位に外周部１０ａが位置する状態に重合可能な保温保湿用上方フィルムｄを付着し、さらに前記保温保湿用上方フィルムｂの上方に前記接着フィルムｆと同形状の保温保湿用上方フィルムｄを付着し、前記上下方フィルムｂ、ｄの周縁部６、６ｂと、接着フィルムｆの接着部１６を靴下ａに接着して残り全体を遊離状態に接着せしめると共に、前記踵隠蔽部１の内側２の下方部位に、別設の接着フィルムｆを付着し、且前記接着フィルムｆの上方に前記接着フィルム５よりも小形状にして、且前記接着フィルムｆの接着部１６の中間部位に外周部１０ａが位置する状態に重合可能な保温保湿用下方フィルムｃを付着し、さらに前記保温保湿用上方フィルムｃの上方に前記接着フィルムｆと大きさが同形状の保温保湿用上方フィルムｅを付着し、前記上下方フィルムｃ、ｅの周縁部６、６ａと前記接着フィルム５の接着部１６を靴下ａに接着して残り全体を遊離状態に接着せしめることを特徴とする踵保護靴下である。
【００２４】
上記課題を解決するための手段として、請求項５に記載の発明は、靴下ａの踵を隠蔽する踵隠蔽部１の内側２の上方部位に、接着フィルムｆを付着し、且前記接着フィルムｆの上方に保温保湿用上方フィルムｄを付着し、且前記接着フィルムｄの上方に肌触り強度を良くする為に前記保温保湿用上方フィルムｂと同形状の上方ポリエステル又はナイロンストレッチ織布ｇを付着し、前記上方織布ｇの周縁部６ｄと前記上方フィルムｄの周縁部６ｃと前記接着フィルムｆの接着部１６を靴下ａに接着して残り全体を遊離状態に接着せしめると共に、靴下ａの踵を隠蔽する踵隠蔽部１の内側２の下方部位に、接着フィルムｆを付着し、且前記接着フィルムｆの上方に保温保湿用下方フィルムｅを付着し、且前記接着フィルムｅの上方に肌触り強度を良くする為に前記保温保湿用上方フィルムｄと同形状の下方ポリエステル又はナイロンストレッチ織布ｈを付着し、前記下方織布ｈの周縁部６ｅと前記下方フィルムｅの周縁部６ｃと下方織布ｈの周縁部６ｅを靴下ａに接着して残り全体を遊離状態に接着せしめることを特徴とする踵保護靴下である。
【００２５】
上記課題を解決するための手段として、請求項６に記載の発明は、前記請求項５に記載の接着フィルムｆと、保温保湿用上方フィルムｄ、ｅと上方及び下方ポリエステル又はナイロンストレッチ織布ｇ、ｈが、二重編み靴下ａを構成する内側靴下ａを構成する内側靴下部３と外側靴下部４のいずれか一方の靴下部の踵を隠蔽する踵隠蔽部１の内側２もしくは外側２ｂの上方部位と下方部位に付着せしめることを特徴とする踵保護靴下である。
【００２６】
上記課題を解決するための手段として、請求項７に記載の発明は、靴下ａの踵を隠蔽する踵隠蔽部１の内側２の上方部位に、ポリエステル又はナイロン織布の片面にポリウレタンフィルムをラミネート加工の上に接着用としてホットメルト加工を施した上方保温保湿接着用シートｉを付着し、且前記上方保温保湿接着用シートｉを靴下ａの内側に全面接着すると共に、前記踵隠蔽部１の内側２の下方部位に、ポリエステル又はナイロン織布の片面にポリウレタンフィルムをラミネート加工を施し、前記ラミネート加工の上に接着用としてホットメルト加工を施した下方保温保湿接着用シートｊを付着し、且前記下方保温保湿接着用シートｊを靴下ａの内側に全面接着することを特徴とする踵保護靴下である。
【００２７】
上記課題を解決するための手段として、請求項８に記載の発明は、前記請求項７に記載の上下保温保湿接着用シートｉ、ｊが、二重編み靴下ａを構成する内側靴下ａを構成する内側靴下部３と外側靴下部４のいずれか一方の靴下部の踵を隠蔽する踵隠蔽部１の内側２もしくは外側２ｂの上方部位と下方部位に付着せしめることを特徴とする踵保護靴下である。
【００２８】
上記課題を解決するための手段として、請求項９に記載の発明は、請求項１又は同２又は同３又は同４に記載の前記２枚の保温保湿用上下方フィルムｂ、ｃ、ｄと前記２枚の接着フィルムｆ、ｆは、対称的に形成されていることを特徴とする踵保護靴下である。
【００２９】
上記課題を解決するための手段として、請求項１０に記載の発明は、請求項５又は同６に記載の前記２枚の保温保湿用上下方フィルムｄ、ｅと２枚の織布ｇ、ｈは、対称的に形成されていることを特徴とする踵保護靴下である。
【００３０】
上記課題を解決するための手段として、請求項１１に記載の発明は、請求項７又は同８に記載の前記２枚の保温保湿接着用シートｉは、対称的に形成されていることを特徴とする踵保護靴下である。
【００３１】
上記課題を解決するための手段として、請求項１２に記載の発明は、請求項１又は同２又は同３又は同４又は同５又は同６又は同７又は同８又は同９又は同１０又は同１１に記載の保温保湿用上方フィルムｂ、ｄと保温保湿用下方フィルムｃ、ｅと上下方織布ｇ、ｈと上方保温保湿接着用シートｉと下方保温保湿接着用シートｊを踵隠蔽部１の上方部位と下方部位に接着せしめることを特徴とする踵保護靴下である。
【発明の効果】
【００３２】
請求項１記載の発明は、靴下の踵を隠蔽する踵隠蔽部の内側の上方部位に、接着フィルムを付着し、且前記接着フィルムの上方に保温保湿用上方フィルムを付着し、前記上方フィルムの周縁部と接着フィルムの接着部を靴下に接着して残り全体を遊離状態に接着せしめると共に、前記踵隠蔽部の内側の下方部位に、別設の接着フィルムを付着し、且前記接着フィルムの上方に保温保湿用下方フィルムを付着し、前記下方フィルムの周縁部と、接着フィルムの接着部を靴下に接着して残り全体を遊離状態に接着せしめる踵保護靴下なので、従来の一枚の薄い上下方フィルムを接着使用するのに代えて、コンパクトな形状に区分けした２枚の薄い上下方フィルムを踵隠蔽部の内側に接着せしめることによって、フィルムへの皺寄りと、だぶつきを防止して、踵の保温性と保湿性を長期にわたり確保し、且履き心地が良好で商品寿命も従来品に比し著しくアップせしめる利点がある。
【００３３】
さらに、本発明は従来の一枚の広いシートに代えて、区分けした２枚の薄い上下方フィルムを靴下のゴアラインに沿って接着するようにしたので、作業者らに接着位置の目安がたって作業が仕易くなり、作業能率を著しく向上せしめると共に、安価に商品を提供できる利点がある。
【００３４】
請求項２に記載の発明は、２重編み靴下を構成する内側靴下部と外側靴下部のいずれか一方の靴下部の踵を隠蔽する踵隠蔽部の内側もしくは外側の上方部位に、接着フィルムを付着し、且前記接着フィルムの上方に保温保湿用上方フィルムを付着し、前記上方フィルムの周縁部と、接着フィルムの接着部を靴下に接着して残り全体を遊離状態に接着せしめると共に、前記踵隠蔽部の内側の下方部位に、別設の接着フィルムを付着し、且前記接着フィルムの上方に保温保湿用下方フィルムを付着し、前記下方フィルムの周縁部と前記接着フィルムの接着部を靴下に接着して残り全体を遊離状態に接着せしめる踵保護靴下なので、前記請求項１に記載の発明と同じ効果を有している。
【００３５】
請求項３に記載の発明は、靴下の踵を隠蔽する踵隠蔽部の内側の上方部位に、接着フィルムを付着し、且前記接着フィルムの上方に前記接着フィルムよりも小形状にして、且前記接着フィルムの接着部の中間部位に外周部が位置する状態に重合可能な保温保湿用上方フィルムを付着し、さらに前記保温保湿用上方フィルムの上方に前記接着フィルムと同形状の保温保湿用上方フィルムを付着し、前記上下方フィルムの周縁部と、接着フィルムの接着部を靴下に接着して残り全体を遊離状態に接着せしめると共に、前記踵隠蔽部の内側の下方部位に、別設の接着フィルムを付着し、且前記接着フィルムの上方に且前記接着フィルムよりも小形状にして、且前記接着フィルムの接着部の中間部位に外周部が位置する状態に重合可能な保温保湿用下方フィルムを付着し、さらに前記保温保湿用上方フィルムの上方に前記接着フィルムと大きさが同形状の保温保湿用上方フィルムを付着し、前記下方フィルムの周縁部と、接着フィルムの接着部を靴下に接着して残り全体を遊離状態に接着せしめる踵保護靴下なので、請求項１に記載の発明と同じ効果を有している。
【００３６】
請求項４に記載の発明は、２重編み靴下を構成する内側靴下部と外側靴下部のいずれか一方の靴下部の踵を隠蔽する踵隠蔽部の内側もしくは外側の上方部位に、接着フィルムを付着し、且前記接着フィルムの上方に前記接着フィルムよりも小形状にして、前記接着フィルムの接着部の中間部位に外周部が位置する状態に重合可能な保温保湿用上方フィルムを付着し、さらに前記保温保湿用上方フィルムの上方に前記接着フィルムと同形状の保温保湿用上方フィルムを付着し、前記上下方フィルムの周縁部と、接着フィルムの接着部を靴下に接着して残り全体を遊離状態に接着せしめると共に、前記踵隠蔽部の内側の下方部位に、別設の接着フィルムを付着し、且前記接着フィルムの上方に前記接着フィルムよりも小形状にして、且前記接着フィルムの接着部の中間部位に外周部が位置する状態に重合可能な保温保湿用下方フィルムを付着し、さらに前記保温保湿用上方フィルムの上方に前記接着フィルムと大きさが同形状の保温保湿用上方フィルムを付着し、前記上下方フィルムの周縁部と前記接着フィルムの接着部を靴下に接着して残り全体を遊離状態に接着せしめる踵保護靴下なので、請求項１に記載の発明と同じ効果を有している。
【００３７】
請求項５に記載の発明は、靴下の踵を隠蔽する踵隠蔽部の内側の上方部位に、接着フィルムを付着し、且前記接着フィルムの上方に保温保湿用上方フィルムを付着し、且前記接着フィルムの上方に肌触り強度を良くする為に前記保温保湿用上方フィルムと同形状の上方ポリエステル又はナイロンストレッチ織布を付着し、前記上方織布の周縁部と前記上方フィルムの周縁部と前記接着フィルムの接着部を靴下に接着して残り全体を遊離状態に接着せしめると共に、靴下の踵を隠蔽する踵隠蔽部の内側の下方部位に、接着フィルムを付着し、且前記接着フィルムの上方に保温保湿用下方フィルムを付着し、且前記接着フィルムの上方に肌触り強度を良くする為に前記保温保湿用上方フィルムと同形状の下方ポリエステル又はナイロンストレッチ織布を付着し、前記下方織布の周縁部と前記下方フィルムの周縁部と下方織布の周縁部を靴下に接着して残り全体を遊離状態に接着せしめる踵保護靴下なので、請求項１に記載の発明と同じ効果を有している。
【００３８】
請求項６に記載の発明は、前記請求項５に記載の接着フィルムと、保温保湿用上方フィルムと上方及び下方ポリエステル又はナイロンストレッチ織布が、二重編み靴下を構成する内側靴下を構成する内側靴下部と外側靴下部のいずれか一方の靴下部の踵を隠蔽する踵隠蔽部の内側もしくは外側の上方部位と下方部位に付着せしめる踵保護靴下なので、請求項１に記載の発明と同じ効果を有している。
【００３９】
請求項７に記載の発明は、靴下の踵を隠蔽する踵隠蔽部の内側の上方部位に、ポリエステル又はナイロン織布の片面にポリウレタンフィルムをラミネート加工の上に接着用としてホットメルト加工を施した上方保温保湿接着用シートを付着し、且前記上方保温保湿接着用シートを靴下の内側に全面接着すると共に、前記踵隠蔽部の内側の下方部位に、ポリエステル又はナイロン織布の片面にポリウレタンフィルムをラミネート加工を施し、前記ラミネート加工の上に接着用としてホットメルト加工を施した下方保温保湿接着用シートを付着し、且前記下方保温保湿接着用シートを靴下の内側に全面接着する踵保護靴下なので、請求項１に記載の発明と同じ効果を有している。
【００４０】
請求項８に記載の発明は、前記請求項７に記載の上下保温保湿接着用シートが、二重編み靴下を構成する内側靴下を構成する内側靴下部と外側靴下部のいずれか一方の靴下部の踵を隠蔽する踵隠蔽部の内側もしくは外側の上方部位と下方部位に付着せしめる踵保護靴下なので、前記請求項１に記載の発明と同じ効果を有している。
【００４１】
請求項９に記載の発明は、請求項１又は同２又は同３又は同４に記載の前記２枚の保温保湿用上下方フィルムと前記２枚の接着フィルムは、対称的に形成されている踵保護靴下なので、請求項１に記載の発明と同じ効果を有している。
【００４２】
請求項１０に記載の発明は、請求項５又は同６に記載の前記２枚の保温保湿用上下方フィルムと２枚の織布は、対称的に形成されている踵保護靴下なので、前記請求項１に記載の発明と同じ効果を有している。
【００４３】
請求項１１に記載の発明は、請求項７又は同８に記載の前記２枚の保温保湿接着用シートは、対称的に形成されている踵保護靴下なので、前記請求項１に記載の発明と同じ効果を有している。
【００４４】
請求項１２に記載の発明は、請求項１又は同２又は同３又は同４又は同５又は同６又は同７又は同８又は同９又は同１０又は同１１に記載の保温保湿用上方フィルムと保温保湿用下方フィルムと上下方織布と上方保温保湿接着用シートと下方保温保湿接着用シートを踵隠蔽部の上方部位と下方部位に接着せしめる踵保護靴下なので、前記請求項１に記載の発明と同じ効果を有している。
【図面の簡単な説明】
【００４５】
【図１】本発明踵保護靴下の正面図である。
【００４６】
【図２】同靴下の第１実施例を示す一部切欠拡大正面図である。
【００４７】
【図３】同靴下の第２実施例を示す一部切欠拡大正面図である。
【００４８】
【図４】同靴下の第３実施例を示す一部切欠拡大正面図である。
【００４９】
【図５】同靴下の第４実施例を示す一部切欠拡大正面図である。
【００５０】
【図６】同靴下の第５実施例を示す一部切欠拡大正面図である。
【００５１】
【図７】同靴下の第６実施例を示す一部切欠拡大正面図である。
【００５２】
【図８】同靴下に接着する保温保湿用薄い小型の上方フィルムの正面図を示す図である。
【００５３】
【図９】同靴下に接着する保温保湿用薄い小型の下方フィルムの正面図である。
【００５４】
【図１０】同接着フィルムと同形状の保温保湿用上方フィルムの正面図である。
【００５５】
【図１１】同接着フィルムと同形状の保温保湿用下方フィルムの正面図である。
【００５６】
【図１２】同上方織布の正面図である。
【００５７】
【図１３】同下方織布の正面図である。
【００５８】
【図１４】同接着フィルムの正面図である。
【００５９】
【図１５】同第７実施例のラミネート加工とホットメルト加工を施した上方保温保湿接着用シートを示す平面図である。
【００６０】
【図１６】同図１５のシートと同形状の下方保温保湿接着用シートである。
【００６１】
【図１７】同接着フィルムと保温保湿用フィルムを接着せしめた靴下の一部切欠斜視図である。
【００６２】
【図１８】同図１７の靴下を正面よりみた状態の一部切欠正面図である。
【００６３】
【図１９】同被嵌プレートに履かせた靴下に接着材フィルムを付着した状態の平面図である。
【００６４】
【図２０】同図１９の接着フィルムに保温保湿用上方フィルムを付着した状態の平面図である。
【００６５】
【図２１】同図１９の靴下の斜視図である。
【００６６】
【図２２】同図２１の靴下の斜視図である。
【００６７】
【図２３】同靴下に保温保湿用上下方フィルムを加熱接着した状態の斜視図である。
【００６８】
【図２４】接着フィルムに従来の保温保湿用フィルムを接着せしめた靴下の一部切欠拡大斜視図である。
【発明を実施するための最良の形態】
【００６９】
本発明の請求項１〜１２に記載の発明に関する実施の形態は共通しているので、以下のとおり一括して図面にもとづいて説明する。
【００７０】
本発明は、従来踵保護靴下の踵隠蔽部の内側にヒートセット等により接着していた１枚の薄い保温保湿用フィルムを改良して、従来の薄いフィルムの大きさのものよりもコンパクト化して２枚に区分けし、且同形状と若干小さい小径状タイプの２種類の薄い上下方保温保湿用フィルムｄ、ｅを後述する接着材等と共に前記上下方フィルムｄ、ｅの周縁部を所定の高温のヒートセットに接着し製造するものである。
【００７１】
従って、本発明の前記上下方保温保湿用フィルムｄ、ｅの接着個所は、従来の踵保護靴下と変らないが、接着の手法が著しく異なっている。以下順次説明する。
【００７２】
本発明は、靴下ａが一重もしくは二重に編上げられるときに発生するゴアライン１７を前記保温保湿用フィルムｂ、ｃを接着するときの基準線にしている。その手法については後述する。
【００７３】
本発明において使用する第１の薄い上方フィルムｄについて説明すると以下のとおりである。
【００７４】
この薄い保温保湿用上方フィルムｄは、ポリ塩化ビニール系、ナイロン系、ポリエステル系などの合成樹脂製フィルムを使用する。
【００７５】
さらに、前記薄い上方フィルムｄの具体的構成を説明する。
【００７６】
この薄い保温保湿用上方フィルムｄは、外周縁部の形態が図１０に図示されているように、直線状底辺７ｂの左右両端部を所定の角度、例えば４５度ないし４５度前後の傾斜角度に延設して、所定長さの対称的な左辺８ｂと右辺９ａとを形成する。さらに前記左右辺８ｂ、９ｂの上方部を基点にして半円状の湾曲部１０ｂを形成し、以上をもって形成されている。
【００７７】
他方前記薄い保温保湿用下方フィルムｅも、その外周縁部の形態が、図１１のように前記薄い上方フィルムｄの形状と同形状である。
【００７８】
すなわち、直線状底辺７ｃの左右両端部を所定の角度、例えば４５度ないし４５度前後の傾斜角度に延設して、所定長さの対称的な左辺８ｃと右辺９ｃとを形成する。さらに前記左右辺８ｃ、９ｃの上方部を基点にして半円状の湾曲部１０ｃを形成し、以上をもって形成されている。
【００７９】
上記のとおり、薄い上下方フィルムｄ、ｅは、図１０、１１に図示されているとおり対称的な形状である。
【００８０】
また前記上下方フィルムｄ、ｅは、底辺７ｂ、７ｃと左辺８ｂ、８ｃと右辺９ｂ、９ｃの上方部を結ぶ線との高さと、この線が線と湾曲部１０ｂ、１０ｃの頂部との高さの割合は約２対１が好適である。
【００８１】
さらに、前記両フィルムｄ、ｅは、対称的であるから形成器具は一種類で足り、製造費が安価となる。
【００８２】
そして前記上下方フィルムｄ、ｅは、図１４に図示されている接着フィルムｆと共に使用する。
【００８３】
この接着フィルムｆは、ポリウレタン系不織布が好適である。
【００８４】
そして前記接着フィルムｆの外周形状は、前記薄い上下方フィルムｄ、ｅの外径と同じ形状で、重合するとぴったりと合致する形態である。
【００８５】
さらに前記接着フィルムｆの形態を説明すると、外周縁部の直線状底辺１２の左右両端部を所定の角度、例えば４５度ないし４５度前後の傾斜角度にして、対称的な左辺１３と右辺１４とを形成し、前記左右辺１３、１４の上方部を基点にして半円状の湾曲部１５を形成する（図１４）。
【００８６】
そして前記接着フィルムｆは、外周縁部より内側方にかけて均一の幅員（約１０ｍｍ）もしくは前記左右両辺１３、１４の幅員を８ｍｍ、前記湾曲部１５の幅員を１２ｍｍを有する帯状接着部１６を形成し、且この接着部１６の内側は孔部１１となっている（図１４）。
【００８７】
上記が接着フィルムｆの実施形態であり、前記薄い上下方フィルムｄ、ｅと共に、一体として使用する。
【００８８】
さらに本発明においては、前記した薄い上下方フィルムｄ、ｅ以外のフィルムとして以下の実施形態がある。
【００８９】
本発明は、前記上下方フィルムｄ、ｅ以外に前記接着フィルム５よりも小径状にして、且前記接着フィルムｆの接着部１６の中間部位に外周部１０ａが位置する状態に重合可能な薄い保温保湿用上方フィルムｂを前記接着フィルムｆと一体に使用する。
【００９０】
さらに本発明は、前記上方フィルムｂ以外に前記上方フィルムｂと同形状の保温保湿用フィルム下方フィルムｃを使用する（図９）。この実施形態も前記接着フィルムｆと一体に使用する（図９）。
【００９１】
前記保温保湿用上方フィルムｂの具体的形態は以下のとおりである。
【００９２】
この薄い保温保湿用上方フィルムｂは、外周縁部の形態が図８に図示されているように、直線状底辺７ｂの左右両端部を所定の角度、例えば４５度ないし４５度前後の傾斜角度に延設して、所定長さの対称的な左辺８ａ〜ｂと右辺９ａとを形成する。さらに前記左右辺８ｂ、９ｂの上方部を基点にして半円状の湾曲部１０ｂを形成し、以上をもって形成されている。
【００９３】
他方前記薄い保温保湿用下方フィルムｃも、その外周縁部の形態が、図９のように前記薄い上方フィルムｂの形状と同形状である。
【００９４】
すなわち、直線状底辺７ｃの左右両端部を所定の角度、例えば４５度ないし４５度前後の傾斜角度に延設して、所定長さの対称的な左辺８ｃと右辺９ｃとを形成する。さらに前記左右辺８ｃ、９ｃの上方部を基点にして半円状の湾曲部１０ｃを形成し、以上をもって形成されている。
【００９５】
上記のとおり、薄い上下方フィルムｂ、ｃは、図８、９に図示されているとおり対称的な形状である。
【００９６】
また前記上下方フィルムｂ、ｃは、底辺７ｂ、７ｃと左辺８ｂ、８ｃと右辺９ｂ、９ｃの上方部を結ぶ線との高さと、この線が線と湾曲部１０ｂ、１０ｃの頂部との高さの割合は約２対１が好適である。
【００９７】
さらに、前記両フィルムｂ、ｃは、対称的であるから形成器具は一種類で足り、製造費が安価となる。
【００９８】
そして前記上下方フィルムｂ、ｃは、図１４に図示されている接着フィルムｆと共に使用する。
【００９９】
前記薄い保温保湿用上下方フィルムｂ、ｃ、ｄ、ｅは、ポリ塩化ビニール系、ナイロン系、ポリエステル系などの合成樹脂製フィルムを使用する。
【０１００】
さらに本発明は、前記した薄い上下方フィルムｄ、ｅ、ｂ、ｃ以外のフィルムとして以下の実施形態がある。
【０１０１】
すなわち、前記フィルムｄ、ｅと同形状のポリエステルストレッチ織布に、ポリウレタンシートをラミネート加工を施して形成した保温保湿用フィルムｆを靴下ａの内側２に接着して使用する。
【０１０２】
つぎに本発明は、前記各フィルムｂ、ｃ、ｄ、ｅ以外の実施形態として以下の形態がある。
【０１０３】
すなわち、本発明においては、前記した各フィルムｂ、ｃ、ｄ、ｅ以外に、肌触り、強度を良くするために、ポリエステル又はナイロンストレッチ上方織布ｇを使用する。
【０１０４】
そして、この上方織布ｇの形態は、前記の上方フィルムｄと同形状である。
【０１０５】
さらに本発明は、前記上方織布ｇと同質材を使用した下方織布ｈを使用する。
【０１０６】
そして、この下方織布ｇの形状は、前記下方フィルムｅと同形状である。
【０１０７】
また本発明は、前記各フィルムｂ、ｃ、ｄ、ｅ、ｇ、ｈ以外の実施形態として以下の形態がある。
【０１０８】
すなわち、ポリエステル又はナイロン織布の片面にポリウレタンフィルムをラミネート加工を施し、前記ラミネート加工の上に接着用としてホットメルト加工を施した上方保温保湿用シートｉを使用する。
【０１０９】
前記上方保温保湿用シートｉは、前記フィルムｂ、ｃ、ｄ、ｅと同じ形態をしている。すなわち、直線状底辺７ｉの左右両端部を所定の角度、例えば４５度ないし４５度前後の傾斜角度に延設して、所定長さの対称的な左辺８ｉと右辺９ｉとを形成する。さらに前記左右辺８ｉ、９ｉの上方部を基点にして半円状の湾曲部１０ｉを形成し、以上をもって形成されている。
【０１１０】
さらに本発明は、前記上方シートｉと同質材の下方保温保湿接着用シートｊを使用する。
【０１１１】
すなわち、直線状底辺７ｊの左右両端部を所定の角度、例えば４５度ないし４５度前後の傾斜角度に延設して、所定長さの対称的な左辺８ｊと右辺９ｊとを形成する。さらに前記左右辺８ｊ、９ｊの上方部を基点にして半円状の湾曲部１０ｊを形成し、以上をもって形成されている。
【０１１２】
上記のとおり、薄い上下方フィルムｉ、ｊは、図１５、１６に図示されているとおり対称的な形状である。
【０１１３】
また前記上下方フィルムｉ、ｊは、底辺７ｉ、７ｊと左辺８ｉ、８ｊと右辺９ｉ、９ｊの上方部を結ぶ線との高さと、この線が線と湾曲部１０ｉ、１０ｊの頂部との高さの割合は約２対１が好適である。
【０１１４】
さらに、前記両フィルムｉ、ｊは、対称的であるから形成器具は一種類で足り、製造費が安価となる。
【０１１５】
以上が本発明において使用される各シートの実施形態である。
【０１１６】
さらに本発明の踵保護靴下ａの製造法を前記した各シート毎に区分して説明する。
【０１１７】
本発明における踵保護靴下ａを製造時には、予め別設する板状の被嵌プレート１８を作成しておき、そして該プレート１８に、靴下の踵隠蔽部１の内側の中、上方部位もしくは下方部位が表われるように前記靴下を被嵌させる。
【０１１８】
第１に、前記接着フィルムｆと前記上方フィルムｄと下方フィルムｅとを靴下ａの踵隠蔽部１の内側２の上方部位に接着するには、図１９に図示するように、プレート１８に前記靴下ａの隠蔽部１の内側２の上方部位が表われるように嵌挿させる。
【０１１９】
さらに前記被嵌プレート１８の具体的形態は、前記被嵌プレート１８の一端部に、前記上下方フィルムｄ、ｅ等と前記接着フィルムｆを構成する底辺７ｂ、７ｃ、１２と左辺８ｂ、８ｃ、９ｂ、９ｃ、１３と右辺９ｂ、９ｃ、１４が表われる形状をもって形成する（図１９、２０）。
【０１２０】
なお、前記被嵌プレート１８を板状に形成する理由は、靴下の踵隠蔽部１の内側２を極めて容易に出現することができると共に、高温での加熱作業が簡単にできるようにするためである。
【０１２１】
そして、前記のように被嵌せしめた靴下に、最初に前記接着フィルムｆの底辺１２と左辺１３と右辺１４とを、ゴアライン１７を目安にしながら踵隠蔽部１の内側２の上方部位に付着し、付着後前記フィルムｆの上方に前記薄い保温保湿用上方フィルムｄを付着し、付着後前記各フィルムｆ、ａの周縁部１６、１０ｂのみを１７０℃で８秒加熱する。
【０１２２】
その結果、前記各フィルムｆ、ｄの周縁部１６、１０ｂのみが靴下に接着して残り全体が遊離状態になって接着されると共に、図２３に図示されているように、各フィルムｆ、ｄの底辺７ｂ、１２と左辺８ｂ、１３と右辺９ｂ、１４とが、接近した状態で靴下に加熱接着されている。
【０１２３】
つぎに、前記プレート１８から被嵌した靴下を抜き取り、再度前記靴下の踵部中、前記のように接着せしめた各フィルムｆ、ｄよりも下方部位の踵隠蔽部１の内側２を表わし、すでに接着済みの前記フィルムｆ、ｄと対向状に、別設の接着フィルムｆの底辺１２と左辺１３と右辺１４とをゴアライン１７を目安にしながら、踵隠蔽部１の内側２に付着し、付着後下方フィルムｅを付着する。付着後前記と同じように各フィルムｆ、ｅの周縁部のみを１７０℃で８秒加熱する。
【０１２４】
その結果、前記各フィルムｆ、ｅの周縁部１６、１０ｃのみが靴下に接着して残り全体が遊離状態になって接着されると共に、図２３に図示されているように、各フィルムｆ、ｅの底辺７ｃ、１２と左辺８ｃ、１３と右辺９ｃ、１４とが、接近した状態で靴下に加熱接着されている。
【０１２５】
そして、本発明は上記のとおり、前記プレート１８がゴアライン１７を目安にして形成しているので、本発明の被嵌プレート１８を使用することによって、作業性が良好で製造費を安価にできる利点がある。
【０１２６】
前記は靴下ａが一重に編み上げられているときの製造法である。
【０１２７】
しかし靴下が二重に編み上げられている場合は、請求項２の手段に記載されているように、二重編み靴下ａを構成する内側靴下部３と外部靴下部４のいずれか一方の靴下部の踵隠蔽部１の内側２もしくは外側２ｂの上方部位に、前記説明のように、接着フィルムｆを付着し、前記フィルムｆの上方に上方フィルムｄをのせて、各フィルムｆ、ｄの周縁部を１７０℃で８秒加熱し接着する。
【０１２８】
さらに、前記上方部位より下方の下方部位に、前記接着フィルムｆと下方フィルムｅとを前記各フィルムｅとを前記各フィルムｆ、ｄと対向状に、且同じ手法を用いて１７０℃で８秒加熱し接着する。
【０１２９】
上記の製造法においても、前記プレート１８を使用するものであり、その手順も前記説明と全く同じであるのでその具体的説明は、省略する。
【０１３０】
さらに本発明は、前記の各フィルム以外の組み合せとして、前記接着フィルムｆと小径状の上方フィルムｂと前記開示の保温保湿用上方フィルムｄを接着せしめる実施形態がある。以下その具体的な実施形態を説明する。
【０１３１】
すなわち、本発明は、靴下ａの踵を隠蔽する踵隠蔽部１の内側２の上方部位に、内側に孔部１１を且前記孔部１１の外側に接着部１４を有する接着フィルムｆを付着し、且前記接着フィルムｆの上方に前記接着フィルム５よりも小形状にして、且前記接着フィルムｆの接着部１６の中間部位に外周部１０ａが位置する状態に重合可能な保温保湿用上方フィルムｂを付着し、さらに前記保温保湿用上方フィルムｂの上方に前記接着フィルムｆと同形状の保温保湿用上方フィルムｄを付着し、前記上下方フィルムｂ、ｄの周縁部６、６ｂと、接着フィルムｆの接着部１６を靴下ａに接着して残り全体を遊離状態に前記手法と同じく１７０℃で８秒加熱し接着せしめる。
【０１３２】
さらに、前記踵隠蔽部１の内側２の下方部位に、別設の内側に孔部１１を且前記孔部１１の外側に接着部１４を有する接着フィルムｆを付着し、且前記接着フィルムｆの上方に且前記接着フィルムｆよりも小形状にして、且前記接着フィルムｆの接着部１６の中間部位に外周部１０ａが位置する状態に重合可能な保温保湿用下方フィルムｃを付着し、さらに前記保温保湿用上方フィルムｃの上方に前記接着フィルムｆと大きさが同形状の保温保湿用上方フィルムｅを付着し、前記下方フィルムｃ、ｅの周縁部６、６ａと、接着フィルムｆの接着部１６を靴下ａに接着して残り全体を遊離状態に前記手法と同じく１７０℃で８秒加熱し接着せしめる。
【０１３３】
上記の製造法においても、前記プレート１８を使用し、その手順も前記説明と全く同じなのでその具体的説明は、省略する。
【０１３４】
また本発明は、前記のように３枚の各上下方フィルムｂ、ｄ、ｆ、ｃ、ｅを一重編みの靴下ａ以外に二重編み靴下ａの踵隠蔽部１の内側２もしくは外側２ｂの上方部位と下方部位に加熱接着せしめる実施形態がある。
【０１３５】
すなわち、２重編み靴下ａを構成する内側靴下部３と外側靴下部４のいずれか一方の靴下部の踵を隠蔽する踵隠蔽部１の内側２もしくは外側２ｂの上方部位に、内側に孔部１１を、且前記孔部１１の外側に接着部１４を有する接着フィルムｆを付着し、且前記接着フィルムｆの上方に前記接着フィルムｆよりも小形状にして、前記接着フィルムｆの接着部１６の中間部位に外周部１０ａが位置する状態に重合可能な保温保湿用上方フィルムｄを付着し、さらに前記保温保湿用上方フィルムｂの上方に前記接着フィルムｆと同形状の保温保湿用上方フィルムｄを付着し、前記上下方フィルムｂ、ｄの周縁部６、６ｂと、接着フィルムｆの接着部１６を靴下ａに接着して残り全体を遊離状態に前記手法と同じく１７０℃で８秒加熱接着せしめる。
【０１３６】
さらに、前記踵隠蔽部１の内側２の下方部位に、別設の内側に孔部１１を且前記孔部１１の外側に接着部１４を有する別設の接着フィルムｆを付着し、且前記接着フィルムｆの上方に前記接着フィルム５よりも小形状にして、且前記接着フィルムｆの接着部１６の中間部位に外周部１０ａが位置する状態に重合可能な保温保湿用下方フィルムｃを付着し、さらに前記保温保湿用上方フィルムｃの上方に前記接着フィルムｆと大きさが同形状の保温保湿用上方フィルムｅを付着し、前記上下方フィルムｃ、ｅの周縁部６、６ａと前記接着フィルム５の接着部１６を靴下ａに接着して残り全体を遊離状態に前記手法と同じく１７０℃で８秒加熱接着せしめる。
【０１３７】
上記の製造法においても、前記プレート１８を使用し、その手順も前記説明と全く同じなのでその具体的説明は省略する。
【０１３８】
また本発明は、前記各フィルム以外に、前記した上方織布ｇと下方織布ｈを使用する実施する形態があるその製法は以下のとおりである。
【０１３９】
すなわち、靴下ａの踵を隠蔽する踵隠蔽部１の内側２の上方部位に、内側に孔部１１を且前記孔部１１の外側に接着部１４を有する接着フィルムｆを付着し、且前記接着フィルムｆの上方に保温保湿用上方フィルムｄを付着し、且前記接着フィルムｄの上方に肌触り強度を良くする為に前記保温保湿用上方フィルムｂと同形状の上方ポリエステル又はナイロンストレッチ織布ｇを付着し、前記上方織布ｇの周縁部６ｄと前記上方フィルムｄの周縁部６ｃと前記接着フィルムｆの接着部１６を靴下ａに接着して残り全体を遊離状態に前記手法と同じく１７０℃で８秒加熱接着せしめる。
【０１４０】
さらに靴下ａの踵を隠蔽する踵隠蔽部１の内側２の下方部位に、内側に孔部１１を且前記孔部１１の外側に接着部１４を有する接着フィルムｆを付着し、且前記接着フィルムｆの上方に保温保湿用下方フィルムｅを付着し、且前記接着フィルムｅの上方に肌触り強度を良くする為に前記保温保湿用上方フィルムｄと同形状の下方ポリエステル又はナイロンストレッチ織布ｈを付着し、前記下方織布ｈの周縁部６ｅと前記下方フィルムｅの周縁部６ｃと下方織布ｈの周縁部６ｅを靴下ａに接着して残り全体を遊離状態に前記手法と同じく１７０℃で８秒加熱接着せしめる。
【０１４１】
上記の製造法においても、前記プレート１８を使用し、その手順も前記説明と全く同じなのでその具体的説明は省略する。
【０１４２】
また前記した本発明の前記接着フィルムｆと、保温保湿用上方フィルムｄ、ｅと上方及び下方ポリエステル又はナイロンストレッチ織布ｇ、ｈが、二重編み靴下ａを構成する内側靴下ａを構成する内側靴下部３と外側靴下部４のいずれか一方の靴下部の踵を隠蔽する踵隠蔽部１の内側２もしくは外側２ｂの上方部位と下方部位に付着せしめることができる。この製法も、前記と同じ１７０℃で８秒加熱し接着せしめる。
【０１４３】
そして上記の製造法においても、前記プレート１８を使用し、その手順も前記説明と同じなのでその具体的説明は省略する。
【０１４４】
さらに本発明は、前記の実施形態以外に上下方保温保湿接着用シートｉ、ｊを使用しての製法につき説明する。
【０１４５】
すなわち、靴下ａの踵を隠蔽する踵隠蔽部１の内側２の上方部位に、ポリエステル又はナイロン織布の片面にポリウレタンフィルムをラミネート加工の上に接着用としてホットメルト加工を施した上方保温保湿接着用シートｉを付着し、且前記上方保温保湿接着用シートｉを靴下ａの内側に１７０℃で８秒加熱し全面接着する。
【０１４６】
そして上記の製造法においても、前記プレート１８を使用し、その手順も前記説明と同じなのでその具体的説明は省略する。
【０１４７】
さらに、本発明は前記踵隠蔽部１の内側２の下方部位に、ポリエステル又はナイロン織布の片面にポリウレタンフィルムをラミネート加工を施し、前記ラミネート加工の上に接着用としてホットメルト加工を施した下方保温保湿接着用シートｊを付着し、且前記下方保温保湿接着用シートｊを靴下ａの内側に１７０℃で８秒加熱し全面接着する。
【０１４８】
そして上記の製造法においても、前記プレート１８を使用し、その手順も前記説明と同じなのでその具体的説明は省略する。
【０１４９】
また前記の製造法は、一重編みの靴下ａについての説明であるが、二重編みの靴下ａの場合は下記のとおりである。
【０１５０】
すなわち、前記上下保温保湿接着用シートｉ、ｊを、二重編み靴下ａを構成する内側靴下ａを構成する内側靴下部３と外側靴下部４のいずれか一方の靴下部の踵を隠蔽する踵隠蔽部１の内側２もしくは外側２ｂの上方部位と下方部位に１７０℃で８秒加熱する。
【０１５１】
前記シートｉ、ｊは、踵隠蔽部１の内側２もしくは外側２ｂの上方部位と下方部位に夫々付着する手順は、前記のケースと同じであるので、その具体的説明は省略する。
【０１５２】
そして上記の製造法においても、前記プレート１８を使用し、その手順も前記説明と同じなのでその具体的説明は省略する。
【０１５３】
本発明は、上記のように製造した結果、本発明の踵隠蔽部１に接着された保温保湿用の薄い上下方フィルムｂ、ｃ、ｄ、ｅ等は、従来使用されていた保温保湿用合成樹脂製フィルムの大きさの２分の１にコンパクト化されて靴下生地に溶着するので、接着面積が従来タイプのフィルムの接着時よりも著しく大となった。そのため、靴下を履き続けても、だぶついたり、あるいは皺寄りが解消された。
【０１５４】
そして前記のように接着された２枚の上下方フィルムｂ、ｃ、ｄ、ｅ等は、踵隠蔽部１に底辺７、７ａ、７ｂ、７ｃ・・・と左右両辺８、８ａ、８ｂ、８ｃ、９、９ｂ、９ｃ、が図１７、１８に図示されているように、各辺同士が接近した状態で接着しているので、前記上下方フィルムｂ、ｃ、ｄ、ｅが、長時間履き続けてもだぶついたり、あるいは皺が寄ったりしない。
【０１５５】
さらに本発明は、前記接着フィルムｆの接着部１６の内側方が、加熱接着時に、稍白い帯状部分が形成されるように加熱しているが、この白い帯状部分は加熱されていない。前記の非接着の白い帯状部分の存在によって、前記の薄い上下方フィルムｂ、ｃ、ｄ、ｅ等と接着境界線よりの引っ張り強度を高めることができる。
【０１５６】
また本発明は、前記保温保湿用上下方フィルムｂ、ｃ、ｄ、ｅ及び前記上下方織布ｇ、ｈ並びに上下方保温保湿接着用シートｉ、ｊが、前記踵保護靴下の上下方部位に全面的に前記と同じ所定温度で加熱接着することもある。
【０１５７】
このように全面接着をしても、前述した各フィルムもしくはシートの一部接着をしたときとの作用、効果と同じかもしくは左程変らない。
【符号の説明】
【０１５８】
ａ      靴下
ｂ      上方フィルム
ｃ      下方フィルム
ｄ      上方フィルム
ｅ      下方フィルム
ｆ      接着フィルム
ｇ      上方織布
ｈ      下方織布
ｉ      シート
ｊ      シート
１      踵隠蔽部
２      内側
２ｂ    外側
３      内側靴下部
４      外側靴下部
６      周縁部
６ａ    周縁部
６ｂ    周縁部
６ｃ    周縁部
６ｄ    周縁部
６ｅ    周縁部
７      底辺
７ａ    底辺
７ｂ    底辺
７ｃ    底辺
７ｉ    底辺
７ｊ    底辺
８      左辺
８ａ    左辺
８ｂ    左辺
８ｃ    左辺
８ｉ    左辺
８ｊ    左辺
９      右辺
９ａ    右辺
９ｂ    右辺
９ｃ    右辺
９ｉ    右辺
９ｊ    右辺
１０    湾曲部
１０ａ  外周部
１０ｂ  湾曲部
１０ｃ  湾曲部
１０ｉ  湾曲部
１０ｊ  湾曲部
１１    孔部
１２    底辺
１３    左辺
１４    右辺
１５    湾曲部
１６    接着部
１７    ゴアライン
１８    プレート
【図１】
2011084829.tif 000003
【図２】
2011084829.tif 000004
【図３】
2011084829.tif 000005
【図４】
2011084829.tif 000006
【図５】
2011084829.tif 000007
【図６】
2011084829.tif 000008
【図７】
2011084829.tif 000009
【図８】
2011084829.tif 000010
【図９】
2011084829.tif 000011
【図１０】
2011084829.tif 000012
【図１１】
2011084829.tif 000013
【図１２】
2011084829.tif 000014
【図１３】
2011084829.tif 000015
【図１４】
2011084829.tif 000016
【図１５】
2011084829.tif 000017
【図１６】
2011084829.tif 000018
【図１７】
2011084829.tif 000019
【図１８】
2011084829.tif 000020
【図２４】
2011084829.tif 000021
【図１９】
2011084829.tif 000022
【図２０】
2011084829.tif 000023
【図２１】
2011084829.tif 000024
【図２２】
2011084829.tif 000025
【図２３】
2011084829.tif 000026